(57)【要約】【課題】蓄電装置に設けられる制御部のハードウェアリセットを容易に行うことができる蓄電装置及び中間コネクタを提供する。【解決手段】蓄電装置１と機器２に電力供給をする電力配線９と、蓄電装置１と機器２とが接続されたことを検知する検知配線１０と、電力配線９に電力供給をする機器用電源５と、検知配線１０に電力供給をする制御用電源６と、検知配線１０と接続される検知端子とリセット信号を入力するリセット端子とを有し、蓄電装置１を制御する制御部８と、電力配線９と検知配線１０とを接続する接続部ＳＷ２と、接続部ＳＷ２により電力配線９と検知配線１０とが接続され、制御用電源６の出力電圧より高い機器用電源５の出力電圧が検知配線１０に印加され、検知配線１０の電圧が制御用電源６の出力電圧より高くなると、制御部８をリセットさせるためのリセット信号をリセット端子に出力するリセット部と、を備える蓄電装置である。【選択図】図１
2018085848.tif 000002
【特許請求の範囲】
【請求項１】
蓄電装置と前記蓄電装置に接続される機器に電力供給をする電力配線と、
前記蓄電装置と前記機器とが接続されたことを検知する検知配線と、
前記電力配線に電力供給をする機器用電源と、
前記検知配線に電力供給をする制御用電源と、
前記検知配線と接続される検知端子とリセット信号を入力するリセット端子とを有し、前記蓄電装置を制御する制御部と、
前記電力配線と前記検知配線とを接続する接続部と、
前記接続部により前記電力配線と前記検知配線とが接続され、前記制御用電源の出力電圧より高い前記機器用電源の出力電圧が前記検知配線に印加され、前記検知配線の電圧が前記制御用電源の出力電圧より高くなると、前記制御部をリセットさせるための前記リセット信号を前記リセット端子に出力するリセット部と、
を備えることを特徴とする蓄電装置。
【請求項２】
請求項１に記載の蓄電装置であって、
前記リセット部の比較部の一方の入力端子は前記検知配線に接続され、前記比較部の他方の入力端子に入力される基準電圧は、前記制御用電源の出力電圧以上で、かつ前記機器用電源の出力電圧より低い、
ことを特徴とする蓄電装置。
【請求項３】
蓄電装置の通信用コネクタと前記蓄電装置に接続される機器の通信用コネクタとに接続可能な中間コネクタであって、
前記蓄電装置に設けられる機器用電源から前記機器へ電力供給をするための電力配線と、
前記蓄電装置に設けられる制御用電源から電力供給され、前記蓄電装置に設けられる制御部の検知端子に接続され、前記蓄電装置と前記機器とが接続されたことを検知する検知配線と、
前記電力配線と前記検知配線とを接続するスイッチ部と、を備え、
前記スイッチ部が接続状態にされ、前記電力配線と前記検知配線とが接続されると、前記制御用電源の出力電圧より高い前記機器用電源の出力電圧が前記検知配線に印加され、前記検知配線の電圧が前記制御用電源の出力電圧より高くなり、前記制御部がリセットされる、
ことを特徴とする中間コネクタ。
【請求項４】
請求項３に記載の中間コネクタであって、
前記検知配線の電圧が前記制御用電源の出力電圧より高いか否かを判定するための基準電圧は、前記制御用電源の出力電圧以上で、かつ前記機器用電源の出力電圧より低い、
ことを特徴とする中間コネクタ。
【請求項５】
蓄電装置と前記蓄電装置に接続される負荷に電池から電力供給をする電力配線と、
前記蓄電装置と前記蓄電装置に接続される機器とが接続されたことを検知する検知配線と、
前記電池の出力電圧より低い出力電圧を前記機器に供給をする機器用電源と、
前記機器用電源の出力電圧より低い出力電圧を前記検知配線に供給をする制御用電源と、
前記検知配線と接続される検知端子とリセット信号を入力するリセット端子とを有し、前記蓄電装置を制御する制御部と、
前記電力配線と前記検知配線とを接続する接続部と、
前記電力配線と前記検知配線とが接続され、前記電池の出力電圧が前記検知配線に印加され、前記検知配線の電圧が前記制御用電源の出力電圧より高くなると、前記制御部をリセットさせるための前記リセット信号を前記リセット端子に出力するリセット部と、
を備えることを特徴とする蓄電装置。
【請求項６】
請求項５に記載の蓄電装置であって、
前記リセット部の比較部の一方の入力端子は前記検知配線に接続され、前記比較部の他方の入力端子に入力される基準電圧は、前記制御用電源の出力電圧以上で、かつ前記電池の出力電圧より低い、
ことを特徴とする蓄電装置。
【請求項７】
請求項５に記載の蓄電装置であって、
前記リセット部の比較部の一方の入力端子は前記検知配線に接続され、前記比較部の他方の入力端子に入力される基準電圧は、前記機器用電源の出力電圧以上で、かつ前記電池の出力電圧より低い、
ことを特徴とする蓄電装置。
【発明の詳細な説明】
【技術分野】
【０００１】
本発明は、蓄電装置に設けられる制御部のハードウェアリセットに関する。
【背景技術】
【０００２】
蓄電装置に設けられた制御部が暴走した場合、その制御部に対してハードウェアリセットを行う必要がある。
関連する技術として、特許文献１及び特許文献２がある。
【先行技術文献】
【特許文献】
【０００３】
【特許文献１】実開平２−０９２５２１号公報
【特許文献２】特開平５−０２８７５７号公報
【発明の概要】
【発明が解決しようとする課題】
【０００４】
しかしながら、蓄電装置は密閉構造であるので、蓄電装置内部の制御部に対して容易にハードウェアリセットを行うことができない。そこで現状では、蓄電装置の防水対策が施された蓋を開け、蓄電装置に設けられている電池に接続されている電力供給用コネクタと、制御部が設けられている回路に電力供給をするための電力供給用コネクタとを脱抜するなどの作業を行い、制御部に対してハードウェアリセット（パワーオンリセット）を行っている。そのためハードウェアリセットを行う際の作業性の低下や、蓄電装置の防水性の低下が懸念される。
【０００５】
本発明の一側面に係る目的は、蓄電装置に設けられる制御部のハードウェアリセットを容易に行うことができる蓄電装置及び中間コネクタを提供することである。
【課題を解決するための手段】
【０００６】
本発明に係る一つの形態である蓄電装置は、電力配線、検知配線、機器用電源、制御用電源、制御部、接続部、リセット部を有する。
電力配線は、蓄電装置と蓄電装置に接続される機器に電力供給をするための配線である。検知配線は、蓄電装置と機器とが接続されたことを検知するための配線である。機器用電源は、電力配線に電力供給をする。制御用電源は、検知配線に電力供給をする。
【０００７】
制御部は、検知配線と接続される検知端子とリセット信号を入力するリセット端子とを有し、蓄電装置を制御する。
接続部は、電力配線と検知配線とを接続する。
【０００８】
リセット部は、接続部により電力配線と検知配線とが接続され、制御用電源の出力電圧より高い機器用電源の出力電圧が検知配線に印加され、検知配線の電圧が制御用電源の出力電圧より高くなると、制御部をリセットさせるためのリセット信号をリセット端子に出力する。
【０００９】
なお、リセット部の比較部の一方の入力端子は検知配線に接続され、比較部の他方の入力端子に入力される基準電圧は、制御用電源の出力電圧以上で、かつ機器用電源の出力電圧より低い。
【００１０】
また、本発明に係る他の形態である蓄電装置の通信用コネクタと蓄電装置に接続される機器の通信用コネクタとに接続可能な中間コネクタは、電力配線、検知配線、スイッチ部を有する。
【００１１】
電力配線は、蓄電装置に設けられる機器用電源から機器へ電力供給をするための配線である。検知配線は、蓄電装置に設けられる制御用電源から電力供給がされ、蓄電装置に設けられる制御部の検知端子に接続され、蓄電装置と機器とが接続されたことを検知するための配線である。
【００１２】
スイッチ部は、電力配線と検知配線とを接続する。そして、スイッチ部により電力配線と検知配線とが接続されると、制御用電源の出力電圧より高い機器用電源の出力電圧が検知配線に印加され、検知配線の電圧が制御用電源の出力電圧より高くなり、制御部がリセットされる。
【００１３】
なお、検知配線の電圧が制御用電源の出力電圧より高いか否かを判定するための基準電圧は、制御用電源の出力電圧以上で、かつ機器用電源の出力電圧より低い。
また、本発明に係る他の形態である蓄電装置は、電力配線、検知配線、機器用電源、制御用電源、制御部、接続部、リセット部を有する。
【００１４】
電力配線は、蓄電装置と蓄電装置に接続される負荷に電池から電力供給をするための配線である。検知配線は、蓄電装置と蓄電装置に接続される機器とが接続されたことを検知するための配線である。機器用電源は、電池の出力電圧より低い出力電圧を機器に供給をする。制御用電源は、機器用電源の出力電圧より低い出力電圧を検知配線に供給をする。
【００１５】
制御部は、検知配線と接続される検知端子とリセット信号を入力するリセット端子とを有し、蓄電装置を制御する。
接続部は、電力配線と検知配線とを接続する。
【００１６】
リセット部は、電力配線と検知配線とが接続され、電池の出力電圧が検知配線に印加され、検知配線の電圧が制御用電源の出力電圧より高くなると、制御部をリセットさせるためのリセット信号をリセット端子に出力する。
【００１７】
リセット部の比較部の一方の入力端子は検知配線に接続され、比較部の他方の入力端子に入力される基準電圧は、制御用電源の出力電圧以上で、かつ電池の出力電圧より低い。
また、リセット部の比較部の一方の入力端子は検知配線に接続され、比較部の他方の入力端子に入力される基準電圧は、機器用電源の出力電圧以上で、かつ電池の出力電圧より低い。
【発明の効果】
【００１８】
蓄電装置に設けられる制御部のハードウェアリセットを容易に行うことができる。
【図面の簡単な説明】
【００１９】
【図１】実施形態１のハードウェアリセット回路の一実施例を示す図である。
【図２】実施形態２のハードウェアリセット回路の一実施例を示す図である。
【図３】実施形態３のハードウェアリセット回路の一実施例を示す図である。
【発明を実施するための形態】
【００２０】
以下図面に基づいて実施形態について詳細を説明する。
＜実施形態１＞
図１は、蓄電装置１のハードウェアリセット回路の一実施例を示す図である。図１には、蓄電装置１、蓄電装置１に接続される機器２、蓄電装置１に接続される負荷３が示されている。蓄電装置１は、例えば、密閉構造の電池パックなどであるが、密閉構造に限定されない。また、蓄電装置１は、電池４、スイッチＳＷ１、機器用電源５、制御用電源６、通信部７、制御部８、電力配線９、検知配線１０、通信配線１１（１１ａ、１１ｂ）、抵抗Ｒ１、抵抗Ｒ２、リセット部（比較部１２、抵抗Ｒ３、抵抗Ｒ４）、通信用コネクタ１３（端子１３ａ、１３ｂ、１３ｃ、１３ｄ、１３ｅ）、電力用コネクタ１４（端子１４ａ、１４ｂ）、リセットスイッチ配線１９（接続部：スイッチＳＷ２、抵抗Ｒ５、配線１９ａ、１９ｂ、１９ｃ）、電力配線３１（３１ａ、３１ｂ）などを有する。
【００２１】
機器２は、例えば、蓄電装置１を搭載する車両（例えば、フォークリフトや電気自動車など）や、蓄電装置１をデバッグする際に用いる冶具や、蓄電装置１を検査する検査機器などである。また、機器２は、通信用コネクタ１５（端子１５ａ、１５ｂ、１５ｃ、１５ｄ、１５ｅ）、通信部１６、短絡配線１７などを有する。
【００２２】
負荷３は、例えば、車両に設けられる駆動機器やモータなどである。また、負荷３は、電力用コネクタ１８（端子１８ａ、１８ｂ）を有する。
電池４は、例えば、ニッケル水素電池やリチウムイオン電池などの二次電池又は蓄電素子などである。
【００２３】
スイッチＳＷ１は、電池４に直列に接続され、接続と未接続とを制御部８により制御され、電池４から機器用電源５、制御用電源６、負荷３に電力供給をするとき接続状態にされ、電力供給をしないとき未接続状態にされる。なお、機器用電源５、制御用電源６は、スイッチＳＷ１の接続／未接続に関係なく、常に電池４から電力供給されていてもよい。また、スイッチＳＷ１は、例えば、リレー又は半導体素子などを用いることが考えられる。
【００２４】
機器用電源５は、電池４から供給される出力電圧を機器２へ供給する電圧に変換する。また、通信用コネクタ１３と通信用コネクタ１５とが接続されると、電力配線９を介して機器用電源５に接続されている端子１３ａと機器２の通信用コネクタ１５の端子１５ａとが接続され、機器２に端子１５ａを介して電力供給をすることができる。また、機器用電源５は、電圧変換器や三端子レギュレータなどが考えられる。なお、機器用電源５には過電流保護回路を設けてもよい。
【００２５】
制御用電源６は、電池４から供給される出力電圧を制御部８やその周辺回路などへ供給する電圧に変換する。また、制御用電源６は抵抗Ｒ２を介して検知配線１０に電力供給をする。通信用コネクタ１３と通信用コネクタ１５とが接続されると、抵抗Ｒ２、検知配線１０を介して制御用電源６と接続される端子１３ｄと機器２の通信用コネクタ１５の端子１５ｄとが接続される。また、制御用電源６は、電圧変換器や三端子レギュレータなどが考えられる。
【００２６】
ここで、電池４の出力電圧Ｖ０と機器用電源５の出力電圧Ｖ１と制御用電源６の出力電圧Ｖ２との関係は、電池４の出力電圧Ｖ０は機器用電源５の出力電圧Ｖ１より高く、機器用電源５の出力電圧Ｖ１は制御用電源６の出力電圧Ｖ２より高く設定されている（Ｖ０＞Ｖ１＞Ｖ２）。
【００２７】
通信部７は、機器２に設けられた通信部１６と通信を行うための回路である。また、通信用コネクタ１３と通信用コネクタ１５とが接続されると、通信配線１１ａを介して通信部７の一方の通信端子に接続される端子１３ｂと、通信部１６の一方の通信端子に接続される端子１５ｂとが接続されるとともに、通信配線１１ｂを介して通信部７の他方の通信端子に接続される端子１３ｃと、通信部１６の他方の通信端子に接続される端子１５ｃとが接続され、通信部７と通信部１６と通信ができるようになる。通信方法として、例えば、ＣＡＮ（Controller Area Network）、フレックスレイ（Flex Ray）などの車載ネットワークを用いた通信が考えられる。
【００２８】
制御部８は、蓄電装置１の各部を制御する。また、制御部８には抵抗Ｒ１を介して検知配線１０と接続される検知端子ＣＮＳＷと、制御部８をリセットさせるためのリセット端子ＲＥＳＥＴとを有する。例えば、ＣＰＵ（Central Processing Unit）、マルチコアＣＰＵ、プログラマブルなデバイス（ＦＰＧＡ（Field Programmable Gate Array）やＰＬＤ（Programmable Logic Device）など）などである。
【００２９】
電力配線９は、機器用電源５から通信部７及び機器２へ電力供給するための配線である。また、リセットスイッチ配線１９のスイッチＳＷ２が接続されると、電力配線９と検知配線１０とが接続され、機器用電源５の出力電圧Ｖ１がリセット部に供給される。
【００３０】
検知配線１０は、通信用コネクタ１３と通信用コネクタ１５とが接続されたことを検知するための配線である。また、通信用コネクタ１３と通信用コネクタ１５とが接続されたことを検知する方法は、検知配線１０に接続される端子１３ｄと機器２に設けられている端子１５ｄとが接続され、グランドＧＮＤに接続される端子１３ｅと機器２に設けられている端子１５ｅとが接続されると、機器２の端子１５ｄと端子１５ｅとに接続されている短絡配線１７により、制御部８の検知端子ＣＮＳＷの電圧レベルがハイレベル（≒制御用電源６の出力電圧Ｖ２）からローレベル（≒０［Ｖ］：グランドＧＮＤ）になることで、制御部８により通信用コネクタ１３と通信用コネクタ１５とが接続されたことが検知される。
【００３１】
通信配線１１（１１ａ、１１ｂ）は、通信部７と通信部１６とが通信をするために用いる配線である。通信配線１１ａは通信部７の一方の通信端子と端子１３ｂとが接続され、通信配線１１ｂは通信部７の他方の通信端子と端子１３ｃとが接続され、通信用コネクタ１３と通信用コネクタ１５とが接続されると、端子１３ｂと端子１５ｂとが接続され、端子１３ｃと端子１５ｃとが接続され、通信部７と通信部１６と通信ができるようになる。
【００３２】
抵抗Ｒ１は、検知端子ＣＮＳＷに過電圧、過電流などが入力されないようにするための抵抗である。抵抗Ｒ２は、検知端子ＣＮＳＷのプルアップ抵抗である。
リセット部は、比較部１２、抵抗Ｒ３、抵抗Ｒ４を有する回路である。リセット部は、リセットスイッチ配線１９により電力配線９と検知配線１０とが接続され、制御用電源６の出力電圧Ｖ２より高い機器用電源５の出力電圧Ｖ１が検知配線１０に印加され、検知配線１０の電圧が制御用電源６の出力電圧Ｖ２より高くなると、制御部８をリセットさせるためのリセット信号をリセット端子ＲＥＳＥＴに出力する。
【００３３】
比較部１２は、検知配線１０の電圧Ｖ３と、機器用電源５の出力電圧Ｖ１を抵抗Ｒ３、Ｒ４を用いて分圧した基準電圧Ｖ４とを比較し、電圧Ｖ３が基準電圧Ｖ４より高い場合（Ｖ３＞Ｖ４）には、リセット端子ＲＥＳＥＴに制御部８をリセットさせる電圧レベルのリセット信号を出力し、電圧Ｖ３が基準電圧Ｖ４以下の場合（Ｖ３≦Ｖ４）には、リセット端子ＲＥＳＥＴに制御部８がリセットされない電圧レベルのリセット信号を出力する。つまり、比較部１２に入力される基準電圧Ｖ４は、制御用電源６の出力電圧Ｖ２以上で、かつ機器用電源５の出力電圧Ｖ１より低くなるよう設定されている（Ｖ２≦Ｖ４＜Ｖ１）。なお、比較部１２は、例えば、オペアンプやコンパレータなどを用いた回路である。
【００３４】
通信用コネクタ１３は、電力配線９を介して機器用電源５の出力端子に接続される機器２に電力供給をするための端子１３ａと、通信配線１１ａを介して通信部７の一方の通信端子と接続される通信部１６と通信をするための端子１３ｂと、通信配線１１ｂを介して通信部７の他方の通信端子と接続される通信部１６と通信をするための端子１３ｃと、通信用コネクタ１３と通信用コネクタ１５とが接続されたことを検知するための検知配線１０に接続される端子１３ｄと、通信用コネクタ１３と通信用コネクタ１５とが接続されたことを検知するためのグランドＧＮＤに接続される端子１３ｅとを有する。また、端子１３ａは端子１５ａと接続され、端子１３ｂは端子１５ｂと接続され、端子１３ｃは端子１５ｃと接続され、端子１３ｄは端子１５ｄと接続され、端子１３ｅは端子１５ｅと接続される。
【００３５】
電力用コネクタ１４は、電池４から負荷３へ電力供給をするための端子１４ａ、１４ｂを有する。電力用コネクタ１４と電力用コネクタ１８とが接続されると、電池４の正極端子に接続される端子１４ａと負荷３の一方の端子と接続される端子１８ａとが接続され、電池４の負極端子にスイッチＳＷ１を介して接続される端子１４ｂと負荷３の他方の端子と接続される端子１８ｂとが接続され、電池４から負荷３へ電力供給がされる。
【００３６】
通信用コネクタ１５は、蓄電装置１の機器用電源５から機器２への電力供給を受けるための端子１５ａと、通信部１６の一方の通信端子に接続される通信部７と通信部１６とが通信をするための端子１５ｂと、通信部１６の他方の通信端子に接続される通信部７と通信部１６とが通信をするための端子１５ｃと、短絡配線１７を介して通信用コネクタ１３と通信用コネクタ１５とが接続されたことを検知するための端子１５ｄ、１５ｅとを有する。また、端子１５ａは端子１３ａと接続され、端子１５ｂは端子１３ｂと接続され、端子１５ｃは端子１３ｃと接続され、端子１５ｄは端子１３ｄと接続され、端子１５ｅは端子１３ｅと接続される。
【００３７】
通信部１６は、蓄電装置１に設けられた通信部７と通信を行うための回路である。通信方法として、例えば、ＣＡＮ、フレックスレイなどの車載ネットワークを用いた通信が考えられる。
【００３８】
短絡配線１７は、端子１３ｄと端子１５ｄとが接続され、端子１３ｅと端子１５ｅとが接続されると、端子１３ｄと端子１３ｅとを短絡させる配線である。
電力用コネクタ１８は、電池４から負荷３へ電力供給を受けるための端子１８ａ、１８ｂとを有する。端子１８ａは端子１４ａと接続され、端子１８ｂは端子１４ｂと接続される。
【００３９】
リセットスイッチ配線１９は、制御部８をハードウェアリセットをするときに用いる配線である。スイッチＳＷ２は、利用者により操作され、電力配線９と検知配線１０との接続と未接続を切り替えるスイッチである。また、スイッチＳＷ２は、例えば、トグルスイッチ、押しボタンスイッチ、スライドスイッチなどを用いることが考えられる。また、抵抗Ｒ５は短絡防止用の抵抗である。
【００４０】
電力配線３１ａは、電力用コネクタ１４の端子１４ａに接続される配線で、電力配線３１ｂは、スイッチＳＷ１を介して電力用コネクタ１４の端子１４ｂに接続される配線で、電力用コネクタ１４と電力用コネクタ１８とが接続されると、電力配線３１ａ、３１ｂを介して電池４から負荷３に電力供給される。
【００４１】
実施形態１の回路構成について説明をする。
電池４の正極端子は、電力配線３１ａを介して機器用電源５の入力端子、制御用電源６の入力端子、電力用コネクタ１４の端子１４ａに接続される。電池４の負極端子は、グランドＧＮＤ、スイッチＳＷ１の一方の端子に接続される。スイッチＳＷ１の他方の端子は電力配線３１ｂを介して電力用コネクタ１４の端子１４ｂに接続される。また、電力用コネクタ１４と電力用コネクタ１８とが接続されると、端子１４ａは端子１８ａと接続され、端子１４ｂは端子１８ｂと接続される。
【００４２】
機器用電源５の出力端子は、電力配線９を介して通信部７の電力入力端子、通信用コネクタの端子１３ａと接続される。端子１３ａは、通信用コネクタ１３と通信用コネクタ１５とが接続されると、端子１５ａと接続される。
【００４３】
通信部７の一方の通信端子は、通信配線１１ａを介して通信用コネクタ１３の端子１３ｂと接続される。通信部７の他方の通信端子は、通信配線１１ｂを介して通信用コネクタ１３の端子１３ｃと接続される。端子１３ｂは、通信用コネクタ１３と通信用コネクタ１５とが接続されると、端子１５ｂと接続される。端子１３ｃは、通信用コネクタ１３と通信用コネクタ１５とが接続されると、端子１５ｃと接続される。また、通信用コネクタ１３と通信用コネクタ１５とが接続されると、端子１５ｂは、通信部１６の一方の通信端子と接続され、端子１５ｃは、通信部１６の他方の通信端子と接続される。
【００４４】
制御用電源６の出力端子は、制御部８の電力入力端子、抵抗Ｒ２の一方の端子に接続される。
制御部８の検知端子ＣＮＳＷは、抵抗Ｒ１の一方の端子と接続される。制御部８のリセット端子ＲＥＳＥＴは、比較部１２の出力端子と接続される。
【００４５】
比較部１２の一方の入力端子は、検知配線１０を介して抵抗Ｒ１の他方の端子、抵抗Ｒ２の他方の端子、通信用コネクタ１３の端子１３ｄと接続される。比較部１２の他方の入力端子は、抵抗Ｒ３の一方の端子、抵抗Ｒ４の一方の端子と接続される。抵抗Ｒ３の他方の端子は機器用電源５の出力端子に接続され、抵抗Ｒ４の他方の端子はグランドＧＮＤに接続される。通信用コネクタ１３の端子１３ｅはグランドＧＮＤと接続される。また、通信用コネクタ１３と通信用コネクタ１５とが接続されると、端子１３ｄは端子１５ｄと接続され、端子１３ｅは端子１５ｅと接続される。
【００４６】
リセットスイッチ配線１９を通信用コネクタ１３に接続すると、通信用コネクタ１３の端子１３ａは、配線１９ａを介してスイッチＳＷ２の一方の端子に接続される。スイッチＳＷ２の他方の端子は、配線１９ｂを介して通信用コネクタ１３の端子１３ｄ、抵抗Ｒ５の一方の端子に接続される。抵抗Ｒ５の他方の端子は、配線１９ｃを介してグランドＧＮＤに接続される通信用コネクタ１３の端子１３ｅに接続される。
【００４７】
実施形態１のハードウェアリセット動作について説明をする。
蓄電装置１をリセットさせる場合、リセットスイッチ配線１９を通信用コネクタ１３に接続する。そうすると端子１３ａと配線１９ａとが接続され、端子１３ｄと配線１９ｂとが接続され、端子１３ｅと配線１９ｃとが接続される。
【００４８】
続いて、リセットスイッチ配線１９のスイッチＳＷ２を接続状態にすると、電力配線９と検知配線１０とが接続され、制御用電源６の出力電圧Ｖ２より高い機器用電源５の出力電圧Ｖ１が通信用コネクタ１３の端子１３ｄを介して検知配線１０に印加される。そうすると検知配線１０の電圧Ｖ３が制御用電源６の出力電圧Ｖ２より高くなる。
【００４９】
続いて、リセット部の比較部１２の一方の入力端子の電圧Ｖ３は、比較部１２の他方の入力端子の基準電圧Ｖ４より高くなるので、比較部１２は出力端子から制御部８のリセット端子ＲＥＳＥＴに制御部８をリセットさせるためのリセット信号を出力する。
【００５０】
実施形態１によれば、ハードウェアリセットをする際、蓄電装置１の通信用コネクタ１３に接続されたリセットスイッチ配線１９のスイッチＳＷ２を接続状態にするだけで、端子１３ａと端子１３ｄとが接続されて電力配線９と検知配線１０とが接続され、制御用電源６の出力電圧Ｖ２より高い機器用電源５の出力電圧Ｖ１が検知配線１０に印加され、検知配線１０の電圧Ｖ３を基準電圧Ｖ４より高くできるので、リセット部は制御部８のリセット端子ＲＥＳＥＴに制御部８をリセットさせる電圧レベルのリセット信号が出力できる。
【００５１】
すなわち、図１に示すように通信用コネクタ１３の端子１３ａ、１３ｄ、１３ｅにリセットスイッチ配線１９の配線１９ａ、１９ｂ、１９ｃを接続すれば、蓄電装置１内部の制御部８に対して容易にハードウェアリセットを行うことができる。
【００５２】
更に、蓄電装置１の防水対策が施された蓋を開けず、スイッチＳＷ２を操作するだけで、制御部８に対してパワーオンリセットではないハードウェアリセットを行えるので、ハードウェアリセット作業を容易にできるとともに防水性も向上させることができる。
＜実施形態２＞
実施形態１と実施形態２との違いは、図２に示すような中間コネクタ２０を用いて制御部８に対してハードウェアリセットを行うことである。また、実施形態２では、蓄電装置１の通信用コネクタ１３と機器２の通信用コネクタ１５とを接続した状態で制御部８に対してハードウェアリセットを行うことができる。なお、実施形態１で説明した内容については実施形態２の説明では省略する。
【００５３】
中間コネクタ２０は、蓄電装置１の通信用コネクタ１３と機器２の通信用コネクタ１５とに接続可能なコネクタである。また、中間コネクタ２０は、電力配線２０ａ、通信配線２０ｂ、通信配線２０ｃ、検知配線２０ｄ、検知配線２０ｅ、検知配線２０ｆ、スイッチＳＷ２、抵抗Ｒ５を有する構造である。
【００５４】
電力配線２０ａは、端子１３ａと端子１５ａとに接続され、機器用電源５から機器２へ電力供給をさせるための配線である。
通信配線２０ｂは、端子１３ｂと端子１５ｂとに接続され、通信部７と通信部１６とに通信をさせるための配線である。
【００５５】
通信配線２０ｃは、端子１３ｃと端子１５ｃとに接続され、通信部７と通信部１６とに通信をさせるための配線である。
検知配線２０ｄ、２０ｅ、２０ｆは、蓄電装置１と機器２とが接続されたことを検知するための配線である。
【００５６】
スイッチＳＷ２（スイッチ部）は、利用者により操作され、電力配線２０ａと検知配線２０ｄとの接続と未接続を切り替えるスイッチである。なお、スイッチＳＷ２は、例えば、トグルスイッチ、押しボタンスイッチ、スライドスイッチなどを用いることが考えられる。
【００５７】
抵抗Ｒ５は、短絡防止用の抵抗である。
実施形態２の中間コネクタ２０の回路構成について説明をする。
電力配線２０ａは、第一の端子が機器用電源５の出力端子と電力配線９を介して接続される通信用コネクタ１３の端子１３ａと接続され、第二の端子が通信用コネクタ１５の端子１５ａと接続され、第三の端子がスイッチＳＷ２の一方の端子と接続される。
【００５８】
通信配線２０ｂは、一方の端子が通信部７の一方の端子に接続される通信配線１１ａを介して接続される端子１３ｂと接続され、他方の端子が通信部１６の一方の端子に接続される端子１５ｂと接続される。通信配線２０ｃは、一方の端子が通信部７の他方の端子に接続される通信配線１１ｂを介して接続される端子１３ｃと接続され、他方の端子が通信部１６の他方の端子に接続される端子１５ｃと接続される。
【００５９】
検知配線２０ｄは、第一の端子がスイッチＳＷ２の他方の端子と接続され、第二の端子１３ｄと接続され、第三の端子が端子１５ｄと接続される。検知配線２０ｅは、一方の端子が抵抗Ｒ５の一方の端子と接続され、他方の端子がグランドＧＮＤに接続されている端子１３ｅと接続される。検知配線２０ｆは、一方の端子が抵抗Ｒ５の他方の端子と接続され、他方の端子が端子１５ｄと短絡配線１７により接続されている端子１５ｅと接続される。なお、電力配線２０ａ、通信配線２０ｂ、２０ｃ、検知配線２０ｄ、２０、２０ｆの端子の構造は、通信用コネクタ１３、１５の端子に接続可能な構造を備えている。
【００６０】
実施形態２のハードウェアリセット動作について説明をする。
中間コネクタ２０は、スイッチＳＷ２により電力配線２０ａ（電力配線９に接続される配線）と検知配線２０ｄ（検知配線１０に接続される配線）とが接続されると、制御用電源６の出力電圧Ｖ２より高い機器用電源５の出力電圧Ｖ１が検知配線２０ｄに印加され、検知配線２０ｄ及び検知配線１０の電圧が制御用電源６の出力電圧Ｖ２より高くなり、制御部８がリセットされる。
【００６１】
実施形態２によれば、ハードウェアリセットをする際、通信用コネクタ１３と通信用コネクタ１５との間に接続される中間コネクタ２０のスイッチＳＷ２を接続状態にするだけで、端子１３ａと端子１３ｄとが接続されて電力配線９と検知配線１０とが接続され、制御用電源６の出力電圧Ｖ２より高い機器用電源５の出力電圧Ｖ１が検知配線１０に印加され、検知配線１０の電圧Ｖ３を基準電圧Ｖ４より高くできるので、リセット部は制御部８のリセット端子ＲＥＳＥＴに制御部８をリセットさせる電圧レベルのリセット信号が出力できる。
【００６２】
すなわち、図２に示すように中間コネクタ２０を用いて通信用コネクタ１３と通信用コネクタ１５とを接続することで、蓄電装置１内部の制御部８に対して容易にハードウェアリセットを行うことができる。
【００６３】
更に、蓄電装置１の防水対策が施された蓋を開けず、スイッチＳＷ２を操作するだけで、制御部８に対してパワーオンリセットではないハードウェアリセットを行えるので、ハードウェアリセット作業を容易にできるとともに防水性も向上させることができる。
【００６４】
また、通信用コネクタ１３と通信用コネクタ１５とを接続した状態でも制御部８に対してハードウェアリセットを行うことができる。
＜実施形態３＞
実施形態１、２と実施形態３との違いは、図３に示すような電池４の電圧を用いて制御部８に対してハードウェアリセットを行うことである。すなわち、電池４の出力電圧Ｖ０は機器用電源５の出力電圧Ｖ１より高く、機器用電源５の出力電圧Ｖ１は制御用電源６の出力電圧Ｖ２より高い（Ｖ０＞Ｖ１＞Ｖ２）ことを利用して、機器用電源５の出力電圧Ｖ１より高い電池４の出力電圧Ｖ０を検知配線１０に印加することで、制御部８が誤ってハードウェアリセットされることを低減できる。なお、実施形態１、２で説明した内容については実施形態３の説明では省略する。
【００６５】
実施形態３のリセット部は、比較部１２、抵抗Ｒ３′、抵抗Ｒ４′、抵抗Ｒ６、抵抗Ｒ７、ダイオードＤ１を有する回路である。リセット部は、リセット配線３０（接続部）を用いて電力配線３１ａと検知配線１０とが接続され、機器用電源５の出力電圧Ｖ１より高い電池４の出力電圧Ｖ０が検知配線１０に印加され、検知配線１０の電圧が制御用電源６の出力電圧Ｖ２より高くなると、制御部８をリセットさせるためのリセット信号をリセット端子ＲＥＳＥＴに出力する。
【００６６】
実施形態３の比較部１２は、検知配線１０に印加された電池４の出力電圧Ｖ０を抵抗Ｒ６、抵抗Ｒ７を用いて分圧した電圧Ｖ３′と、電池４の出力電圧Ｖ０を抵抗Ｒ３′、Ｒ４′を用いて分圧した基準電圧Ｖ４′とを比較し、電圧Ｖ３′が基準電圧Ｖ４′より高い場合（Ｖ３′＞Ｖ４′）には、リセット端子ＲＥＳＥＴに制御部８をリセットさせる電圧レベルのリセット信号を出力し、電圧Ｖ３′が基準電圧Ｖ４′以下の場合（Ｖ３′≦Ｖ４′）には、リセット端子ＲＥＳＥＴに制御部８がリセットされない電圧レベルのリセット信号を出力する。つまり、比較部１２に入力される基準電圧Ｖ４′は、制御用電源６の出力電圧Ｖ２以上で、かつ電池４の出力電圧Ｖ０より低くなるよう設定されている（Ｖ２≦Ｖ４′＜Ｖ０）。そうすることで、端子１３ｄから電池４の出力電圧Ｖ０のような高い電圧が検知配線１０に印加されないかぎり、制御部８がハードウェアリセットされないようにできるので、ハードウェアリセットの誤動作に対する耐性を高めることができる。
【００６７】
また、基準電圧Ｖ４′は、機器用電源５の出力電圧Ｖ１以上で、かつ電池４の出力電圧Ｖ０より低くなるよう設定してもよい（Ｖ１≦Ｖ４′＜Ｖ０）。そうすることで、更にハードウェアリセットの誤動作に対する耐性を高めることができる。
【００６８】
ダイオードＤ１は、回りこみ防止ダイオードで、端子１３ｄから入力される過電圧に対して回路を保護する。
リセット配線３０は、制御部８をハードウェアリセットするときに用いる配線である。リセット配線３０の一方の端子と端子１３ｄとを接続し、リセット配線３０の他方の端子と端子１４ａとを接続し、電力配線３１ａと検知配線１０とを接続するための配線である。なお、リセット配線３０の一方の端子の構造は端子１３ｄに接続可能な構造で、リセット配線３０の他方の端子の構造は端子１４ａに接続可能な構造である。
【００６９】
実施形態３の回路構成について説明をする。
制御用電源６の出力端子は、制御部８の電力入力端子、抵抗Ｒ２の一方の端子に接続される。
【００７０】
制御部８の検知端子ＣＮＳＷは、抵抗Ｒ１の一方の端子と接続される。制御部８のリセット端子ＲＥＳＥＴは、比較部１２の出力端子と接続される。
抵抗Ｒ１の他方の端子は、抵抗Ｒ２の他方の端子、ダイオードＤ１のアノード端子に接続され、ダイオードＤ１のカソード端子は、検知配線１０を介して抵抗Ｒ６の一方の端子、通信用コネクタ１３の端子１３ｄに接続される。
【００７１】
比較部１２の一方の入力端子は、抵抗Ｒ６の他方の端子、抵抗Ｒ７の一方の端子と接続され、抵抗Ｒ７の他方の端子はグランドＧＮＤに接続される。比較部１２の他方の入力端子は、抵抗Ｒ３′の一方の端子、抵抗Ｒ４′の一方の端子と接続される。抵抗Ｒ３′の他方の端子は電池４の正極端子に接続され、抵抗Ｒ４′の他方の端子はグランドＧＮＤに接続される。通信用コネクタ１３の端子１３ｅはグランドＧＮＤと接続される。
【００７２】
リセット配線３０の一方端は通信用コネクタ１３の端子１３ｄと接続され、リセット配線３０の他方端は電力用コネクタ１４の端子１４ａと接続される。
実施形態３のハードウェアリセット動作について説明をする。
【００７３】
制御部８をリセットさせる場合、リセット配線３０を用いて通信用コネクタ１３の端子１３ｄと電力用コネクタ１４の端子１４ａとを接続する。
続いて、電力配線３１ａと検知配線１０とが接続されるので、制御用電源６の出力電圧Ｖ２より高い電池４の出力電圧Ｖ０が通信用コネクタ１３の端子１３ｄを介して検知配線１０に印加される。そうすると電圧Ｖ３′が制御用電源６の出力電圧Ｖ２より高くなる。
【００７４】
続いて、リセット部の比較部１２の一方の入力端子の電圧Ｖ３′は、比較部１２の他方の入力端子の基準電圧Ｖ４′より高くなるので、比較部１２は出力端子から制御部８のリセット端子ＲＥＳＥＴに制御部８をリセットさせるためのリセット信号を出力する。
【００７５】
実施形態３によれば、ハードウェアリセットをする際、蓄電装置１の通信用コネクタ１３の端子１３ｄと電力用コネクタ１４の端子１４ａとをリセット配線３０に接続するだけで、端子１３ｄと端子１４ａとが接続されて電力配線３１ａと検知配線１０とが接続され、制御用電源６の出力電圧Ｖ２より高い電池４の出力電圧Ｖ０が検知配線１０に印加され、検知配線１０の電圧Ｖ３′が電圧Ｖ４′より高くなるので、リセット部は、制御部８のリセット端子ＲＥＳＥＴに制御部８をリセットさせる電圧レベルのリセット信号が出力できる。
【００７６】
すなわち、図３に示すようにリセット配線３０を用いて蓄電装置１の通信用コネクタ１３の端子１３ｄと電力用コネクタ１４の端子１４ａとを接続することで、蓄電装置１内部の制御部８に対して容易にハードウェアリセットを行うことができる。
【００７７】
更に、蓄電装置１の防水対策が施された蓋を開けず、リセット配線３０を用いるだけで、制御部８に対してパワーオンリセットではないハードウェアリセットを行えるので、ハードウェアリセット作業を容易にできるとともに防水性も向上させることができる。
【００７８】
また、実施形態１、２の構成と比べてスイッチＳＷ２、抵抗Ｒ５、配線の構造が簡略化できるので価格を抑えることができる。また、配線を簡略化し配線間の影響を低減したことで、ハードウェアリセットの誤動作を防止することができる。
【００７９】
また、蓄電装置１に電圧を印加するために専用の外部電源を用意する必要がない。
また、比較的高い電池４の電圧を用いることでハードウェアリセットの誤動作に対する耐性を高めることができる。
【００８０】
また、本発明は、以上の実施の形態に限定されるものでなく、本発明の要旨を逸脱しない範囲内で種々の改良、変更が可能である。
【符号の説明】
【００８１】
１  蓄電装置、
２  機器、
３  負荷、
４  電池、
５  機器用電源、
６  制御用電源、
７、１６  通信部、
８  制御部、
９  電力配線、
１０  検知配線、
１１、１１ａ、１１ｂ  通信配線、
１２  比較部、
１３、１５  通信用コネクタ、
１３ａ、１３ｂ、１３ｃ、１３ｄ、１３ｅ  端子、
１５ａ、１５ｂ、１５ｃ、１５ｄ、１５ｅ  端子、
１４、１８  電力用コネクタ、
１４ａ、１４ｂ  端子、
１８ａ、１８ｂ  端子、
１７  短絡配線、
１９  リセットスイッチ配線、
１９ａ、１９ｂ、１９ｃ  配線、
２０  中間コネクタ、
２０ａ  電力配線、
２０ｂ、２０ｃ  通信配線、
２０ｄ、２０ｅ、２０ｆ  検知配線、
３０  リセット配線、
３１、３１ａ、３１ｂ  電力配線、
Ｄ１  ダイオード、
ＳＷ１、ＳＷ２  スイッチ、
Ｒ１、Ｒ２、Ｒ３、Ｒ４、Ｒ３′、Ｒ４′、Ｒ５、Ｒ６、Ｒ７  抵抗、
【図１】
2018085848.tif 000003
【図２】
2018085848.tif 000004
【図３】
2018085848.tif 000005